(57)【要約】      （修正有）【課題】トレイを使用する際の作業を簡単にするとともに、よりシンプルな構造にすることにより製造コストを低減することができるカップ保持トレイを提供する。【解決手段】矩形状の底板１１と、底板の周縁部１２から立設した側板１３とにより形成された収容空間Ｓの一部にカップＣを保持するカップ保持トレイである。側板のうち底板の少なくとも１つの角部を挟んで立設した側板角部１５には、側板角部の稜線１５ａに交差するように切込み１６が形成されている。この切込みにより形成された側板角部の一部を収容空間Ｓ内に向かって折り込むことにより、折り込まれた側板角部の一部である折り込み部１７と、折り込み部以外の側板角部１５ｂとで囲われた空間が、カップを保持する保持空間ＳＣとなる。【選択図】図１
0003188921.tif 000002
【実用新案登録請求の範囲】
【請求項１】
多角形状の底板と、該底板の周縁部から立設した側板とにより形成された収容空間の一部にカップを保持するカップ保持トレイであって、
前記側板のうち前記底板の少なくとも１つの角部を挟んで立設した側板角部には、該側板角部の稜線に交差するように切込みが形成されており、
該切込みにより形成された側板角部の一部を前記収容空間内に向かって折り込むことにより、折り込まれた前記側板角部の一部である折り込み部と、該折り込み部以外の側板角部とで囲われた空間が、前記カップを保持する保持空間となるように、前記切込みが形成されていることを特徴とするカップ保持トレイ。
【請求項２】
前記側板角部には、前記側板角部の一部を折り込むことにより、サイズの異なる前記カップに応じて前記保持空間の大きさを調整する調整用切込みがさらに形成されていることを特徴とする請求項１に記載のカップ保持トレイ。
【請求項３】
前記切込みは長さの異なる複数の切込みからなり、各切込みは、サイズの異なる前記カップに応じた前記保持空間が選択的に形成されるような長さを有していることを特徴とする請求項１または２に記載のカップ保持トレイ。
【請求項４】
前記カップ保持トレイは、前記底板と、該底板の各縁部から延在した側板とを備えたシート材を折り曲げて、隣接する側板同士が重なり合った重なり部分を接着することにより成形されたものであり、
前記切込みのうち前記重なり部分の近傍に形成された切込み部分は、前記重なり部分から外れた位置において、前記重なり部分の縁部に沿って形成されていることを特徴とする請求項１〜３のいずれかに記載のカップ保持トレイ。
【考案の詳細な説明】
【技術分野】
【０００１】
本考案は、食品およびカップを収容する収容空間に、カップを保持する保持空間を形成するためのカップ保持トレイに関するものである。
【背景技術】
【０００２】
従来から、ハンバーガー、フライドポテトなどの食品と共に飲料水が入ったカップを一度に運ぶ際には、これらを収容するためのトレイが利用されることがある。トレイを用いて搬送する際には、トレイ内でカップが移動することがあり、このときにカップ内から飲料水がこぼれるおそれがあった。そこで、カップを収容する収容空間に、カップを保持する保持部が設けられたカップ保持トレイを用いることが多い。しかしながら、収容空間内にカップを保持する保持部を設けると、収容空間を利用して複数のトレイを積み重ねて保管することが難しいことがある。
【０００３】
このような点を鑑みて、例えば、保管時は平板状であり、トレイを使用する際には、底板の両端に連接された一対の第１の側板を起立させることにより、該一対の第１の側板に隣接しかつ前記底板の両側に連接した一対の第２の側板が起立するとともに、該一対の第２の側板のうち少なくとも一方の側板に連接した支持板が起立し、これにより、支持板に形成されたカップ保持部がトレイ上部に配置される組み立て式のカップ保持トレイが提案されている（例えば特許文献１参照）。
【先行技術文献】
【特許文献】
【０００４】
【特許文献１】特開２０００−１１８５２４号公報
【考案の概要】
【考案が解決しようとする課題】
【０００５】
しかしながら、特許文献１に記載のカップ保持トレイは、従来のトレイと同様にシート材を切り抜いて、切り抜いたものを、折り曲げ、糊付け等により組み立てて成形されるが、その構造が複雑であるため、製造コストが従来のトレイに比べて増加する傾向にあった。さらに、トレイを使用する際には、底板に連接された各側板および支持板を底板に対して起立させなければならず、その作業は煩雑なものであった。
【０００６】
本考案はこのような点を鑑みてなされたものであり、その目的とするところは、トレイを使用する際の作業を簡単にするとともに、よりシンプルな構造にすることにより製造コストを低減することができるカップ保持トレイを提供することにある。
【課題を解決するための手段】
【０００７】
前記課題を解決すべく、本考案に係るカップ保持トレイは、多角形状の底板と、該底板の周縁部から立設した側板とにより形成された収容空間の一部にカップを保持するカップ保持トレイであって、前記側板のうち前記底板の少なくとも１つの角部を挟んで立設した側板角部には、該側板角部の稜線に交差するように切込みが形成されており、該切込みにより形成された側板角部の一部を前記収容空間内に向かって折り込むことにより、折り込まれた前記側板角部の一部である折り込み部と、該折り込み部以外の側板角部とで囲われた空間が、前記カップを保持する保持空間となるように、前記切込みが形成されていることを特徴とする。
【０００８】
本考案によれば、カップを保持する機構として、側板角部の稜線に交差するように切込みを設けるだけでよいので、よりシンプルな構造でカップを保持することができる。これにより、カップ保持トレイをより安価に製造することができる。また、カップを保持する際には、切込みにより形成された側板角部の一部（折り込み部）を、収容空間内に向かって折り込むことにより、折り込み部と折り込み部以外の側板角部とで囲われた保持空間にカップを保持することができるので、簡単な作業で、カップを保持する保持空間を形成することができる。
【０００９】
より好ましい態様としては、前記側板角部には、前記側板角部の一部を折り込むことにより、サイズの異なる前記カップに応じて前記保持空間の大きさを調整する調整用切込みがさらに形成されている。
【００１０】
この態様によれば、カップのサイズに応じて形成された調整用切込みを利用して、その調整用切込みにより形成された側板角部の一部を折り込むことができるので、形状の異なるカップであっても、これに応じた保持空間を形成することができる。これにより、サイズの異なるカップを保持空間内に容易に保持することができる。
【００１１】
また、別の好ましい態様としては、前記切込みは長さの異なる複数の切込みからなり、各切込みは、サイズの異なる前記カップに応じた前記保持空間が選択的に形成されるような長さを有している。
【００１２】
この態様によれば、サイズの異なる前記カップの形状に応じて、長さの異なる複数の切込みにより形成された側板角部の一部を選択して折り込むことにより、サイズの異なるカップを保持空間内に容易に保持することができる。
【００１３】
より好ましい態様としては、前記カップ保持トレイは、前記底板と、該底板の各縁部から延在した側板とを備えたシート材を折り曲げて、隣接する側板同士が重なり合った重なり部分を接着することにより成形されたものであり、前記切込みのうち前記重なり部分の近傍に形成された切込み部分は、前記重なり部分から外れた位置において、前記重なり部分の縁部に沿って形成されている。
【００１４】
この態様によれば、隣接する側板同士の重なり部分から外れた位置において、重なり部分の縁部に沿って切込みが形成されているので、重なり部分以外の側板角部の一部を折り込み部とすることができる。これにより、カップを保持する際には、重なり部分を変形させることがないのでの重なり部分の接着強度を維持することができるばかりでなく、重なり部分で容器の機械的強度を高めることができる。さらに、折り込み部は重なり部分を有しないので、折り込み部となるように、側板角部の一部を収容空間内に向かって簡単に折り込むことができる。
【考案の効果】
【００１５】
本考案によれば、トレイを使用する際の作業を簡単にするとともに、よりシンプルな構造にすることにより製造コストを低減することができる。
【図面の簡単な説明】
【００１６】
【図１】本考案の第１実施形態に係るカップ保持トレイの模式的斜視図であり、（ａ）は、カップを保持する前の状態を示したカップ保持トレイの斜視図であり、（ｂ）は、カップを保持する状態を示したカップ保持トレイの斜視図である。
【図２】図１に示すカップ保持トレイの展開図である。
【図３】本考案の第２実施形態に係るカップ保持トレイ（カップを保持する前の状態）の模式的斜視図である。
【図４】図３に示すカップ保持トレイの展開図である。
【図５】図３に示すカップ保持トレイを用いて、異なるサイズのカップを保持する状態を示したカップ保持トレイの斜視図であり、（ａ）は、大サイズのカップを保持する状態を示したカップ保持トレイの斜視図、（ｂ）は、小サイズのカップを保持する状態を示したカップ保持トレイの斜視図である。
【図６】本考案の第２実施形態の変形例に係るカップ保持トレイ（カップを保持する前の状態）の模式的斜視図である。
【図７】図３に示すカップ保持トレイを用いて、異なるサイズのカップを保持する状態を示したカップ保持トレイの斜視図であり、（ａ）は、大サイズのカップを保持する状態を示したカップ保持トレイの斜視図、（ｂ）は、小サイズのカップを保持する状態を示したカップ保持トレイの斜視図である。
【図８】本考案の第３実施形態に係るカップ保持トレイ（カップを保持する状態）の模式的斜視図であり、（ａ）は、小サイズのカップを保持する状態を示したカップ保持トレイの斜視図、（ｂ）は、大サイズのカップを保持する状態を示したカップ保持トレイの斜視図である。
【考案を実施するための形態】
【００１７】
以下に、本考案のいくつかの実施の形態を図面を参照しながら説明する。
【００１８】
〔第１実施形態〕
図１は、本考案の第１実施形態に係るカップ保持トレイの模式的斜視図であり、（ａ）は、カップを保持する前の状態を示したカップ保持トレイの斜視図であり、（ｂ）は、カップを保持する状態を示したカップ保持トレイの斜視図である。図２は、図１に示すカップ保持トレイの展開図である。
【００１９】
本実施形態に係るカップ保持トレイ１Ａ（以下トレイという）は、ハンバーガー、フライドポテトなどの食品と共に飲料水が入ったカップを収容し、これらを搬送するためのトレイである。トレイ１Ａの材料は、食品およびカップを収容した状態で機械的強度を確保でき、搬送し易さの観点から軽量であれば、特に限定されない。好ましい材料としては、板紙または段ボールであり、板紙を用いる場合には、２１０〜７１０ｇ／ｍ２のものが好ましく、段ボールを用いる場合には、３０〜１８０ｇ／ｍ２の紙をライナーや中芯に用いた段ボールもしくはミニ段ボールが好ましい。
【００２０】
図１に示すように、トレイ１Ａは、矩形状（多角形状）の底板１１と、底板１１の４辺からなる周縁部１２から立設した側板１３とを、少なくとも有しており、底板１１と側板１３とにより形成された空間が、食品およびカップＣを収容する収容空間Ｓとなる。
【００２１】
側板１３は、図２に示すようにシート材１Ａ’の底板１１の周縁部１２である折り曲げ線に沿って折り曲げることにより（図２の破線参照）、底板１１から起立させることができる。次に、隣接する側板同士１３ａ，１３ｂのうち一方の側板１３ｂの一部を他方の側板１３ａに重なるように折り曲げて、重なり部分１８（図２のハッチング部分）を接着する。これにより、重なり部分１８を有した一対の第１の側板１３Ａ，１３Ａと、重なり部分の無い一対の第２の側板１３Ｂ，１３Ｂとで構成された側板１３を得ることができる。
【００２２】
第１の側板１３Ａと第２の側板１３Ｂとは、底板１１に対して上方に収容空間Ｓが広がるように傾斜している。このように、第１の側板１３Ａと第２の側板１３Ｂとを傾斜させることにより、上位のトレイ１Ａの底部を下位のトレイ１Ａの収容空間Ｓに収容することができ、複数のトレイ１Ａ，１Ａ，…を積み重ねて保管することができる。
【００２３】
このように構成された側板１３のうち底板１１の各角部を挟んで立設した側板角部１５には、側板角部１５の稜線１５ａに交差するように切込み１６が形成されている。本実施形態では、稜線１５ａは、第１の側板１３Ａと第２の側板１３Ｂとの境界線であり、切込み１６は、この稜線１５ａを交差しつつ、トレイ１Ａの開口縁１ａに沿って形成される。なお、トレイ１Ａの開口縁１ａは、各側板角部１５に向かって下方に（底板側に）傾斜している。
【００２４】
さらに、第１の側板１３Ａにおいて、切込み１６のうち重なり部分１８の近傍に形成された切込み部分１６ａは、重なり部分１８から外れた位置において、重なり部分１８の縁部１８ａに沿って形成されている。
【００２５】
このような切込み１６は、図１（ｂ）に示すように、切込み１６により形成された側板角部１５の一部を収容空間Ｓ内に向かって折り込むことにより、折り込まれた側板角部の一部である折り込み部１７と、折り込み部以外の側板角部１５ｂとで囲われた空間が、カップＣを保持する保持空間ＳＣとなるように、形成されている。
【００２６】
本実施形態によれば、カップＣを保持する機構として、各側板角部１５の稜線１５ａに交差するように切込み１６を設けるだけでよいので、よりシンプルなトレイ構造でカップＣを保持することができる。これにより、トレイ１Ａを、図２に示すシート材１Ａ’から４点貼り製函機を用いて、より安価に製造することができる。
【００２７】
また、図１（ｂ）に示すように、カップＣを保持する際には、切込み１６により形成された側板角部１５の一部（折り込み部）を、収容空間Ｓ内に向かって折り込むことにより、折り込み部１７がカップの保持帯として作用し、折り込み部１７と折り込み部以外の側板角部１５ｂとで囲われた保持空間ＳＣにカップＣを保持することができる。このようにして、必要に応じた個数のカップＣ（最大４個）を保持する保持空間ＳＣを簡単な作業で形成することができる。
【００２８】
さらに、本実施形態では、第１の側板１３Ａの重なり部分１８から外れた位置において、重なり部分１８の縁部１８ａに沿って切込みが形成されているので、重なり部分以外の側板角部１５の一部を折り込み部１７とすることができる。
【００２９】
これにより、カップＣを保持する際には、重なり部分１８を変形させることがないので接着強度を維持することができるばかりでなく、重なり部分１８で容器の機械的強度を高めることができる。さらに、折り込み部１７は重なり部分１８を有しないので、折り込み部１７となるように、側板角部１５の一部を収容空間Ｓ内に向かって簡単に折り込むことができる。また、糊代となる重なり部分を避けて切込み１６を設けることにより、製造時に、切り込みから製函用接着剤が染み出すのを防止することができる。なお、本実施形態では、第１の側板１３Ａにおいて側板１３ａの内側に側板１３ｂの一部を重ねて接着する内貼りの場合について説明したが、側板１３ａの外側に側板１３ｂの一部を重ねて接着する外貼りとしてもよく、同様の作用効果を得ることができる。
【００３０】
〔第２実施形態〕
図３は、本考案の第２実施形態に係るトレイ（カップを保持する前の状態）の模式的斜視図であり、図４は、図３に示すトレイの展開図である。図５は、図３に示すトレイを用いて、異なるサイズのカップを保持する状態を示したトレイの斜視図であり、（ａ）は、大サイズのカップを保持する状態を示したトレイの斜視図、（ｂ）は、小サイズのカップを保持する状態を示したトレイの斜視図である。
【００３１】
第２実施形態に係るトレイ１Ｂが、第１実施形態に係るトレイ１Ａと相違する点は、サイズが異なる２つのカップ（大カップＣＬ、小カップＣＳ）を保持するように、側板角部の構造を変更した点である。したがって、第１実施形態に係るトレイ１Ａと同じ機能を有する部位には、同じ符号を付してその詳細な説明を省略する。
【００３２】
図３に示すように、本実施形態のトレイ１Ｂの側板角部１５には、側板角部１５の一部を折り込むことにより、サイズの異なる２つカップに応じて保持空間ＳＣの大きさを調整する調整用切込み１９がさらに形成されている。
【００３３】
調整用切込み１９は、保持空間ＳＣを形成するための切込み１６よりも、底板１１寄りに形成されており、切込み１６と同様に、この稜線１５ａを交差して形成されている。これにより、切込み１６と調整用切込み１９とで挟まれた部分の側板角部１５の一部を、保持空間ＳＣに折り込むことができ、この折り込んだ部分が、保持空間ＳＣの大きさを調整する調整用突起１９ａとして作用する。
【００３４】
さらに、第１の側板１３Ａにおいて、調整用切込み１９のうち重なり部分１８の近傍に形成された調整用切込み部分１９ｂは、重なり部分１８から外れた位置において、重なり部分１８の縁部１８ａに沿って形成されている（図４のハッチング部分を参照）。これにより、第１実施形態に係るトレイ１の切込み１６で示した効果と同様に、接着強度およびトレイ強度を保持しつつ、この部分を折り込みやすくすることができる。
【００３５】
このように、トレイ１Ｂに調整用切込み１９を設けることにより、大カップＣＬを保持するときには、図５（ａ）に示す如く、第１実施形態と同様に、切込み１６により形成された側板角部１５の一部を収容空間Ｓ内に向かって折り込む。これにより、折り込み部１７と、折り込み部１７以外の側板角部１５ｂとで囲われた空間が、大カップＣＬを保持する保持空間ＳＬとすることができる。
【００３６】
一方、小カップＣＳを保持するときには、図５（ｂ）に示す如く、調整用切込み１９により形成された側板角部１５の一部を、調整用突起１９ａとなるようにさらに収容空間Ｓに向かって折り込む。これにより、折り込み部１７と、折り込み部１７以外の側板角部１５ｂとで囲われた空間にさらに調整用突起１９ａが形成されるので、小カップＣＳを保持する保持空間ＳＳとすることができる。
【００３７】
このようにして、カップのサイズに応じて形成された調整用切込み１９を利用して、調整用切込み１９により形成された側板角部１５の一部を選択的に折り込むことができるので、大カップＣＬおよび小カップＣＳの双方を、１つのトレイ１Ｂで保持することができる。
【００３８】
図６は、本考案の第２実施形態の変形例に係るトレイ（カップを保持する前の状態）の模式的斜視図である。図７は、図６に示すトレイを用いて、異なるサイズのカップを保持する状態を示したトレイの斜視図であり、（ａ）は、大サイズのカップを保持する状態を示したトレイの斜視図、（ｂ）は、小サイズのカップを保持する状態を示したトレイの斜視図である。
【００３９】
図６に示す変形例に係るトレイが、図３に示すトレイと相違する点は、調整用切込み１９を切込み１６よりも、トレイ１Ｂの開口縁１ａ寄りに設けた点である。このような位置に調整用切込み１９を設けた場合であっても、大カップＣＬおよび小カップＣＳの双方を、１つのトレイ１Ｂで保持することができる。
【００４０】
具体的には、大カップＣＬを保持するときには、図７（ａ）に示す如く、第１実施形態と同様に、切込み１６により形成された側板角部１５の一部を収容空間Ｓ内に向かって折り込む。これにより、折り込み部１７と、折り込み部１７以外の側板角部１５ｂとで囲われた空間を、大カップＣＬを保持する保持空間ＳＬとすることができる。
【００４１】
ここで、切込み１６により形成された側板角部１５の一部を収容空間Ｓ内に向かって折り込む際に、調整用切込み１９は収容空間Ｓ内に移動するので、折り込み部１７に調整用切込み１９が形成されることになる。
【００４２】
従って、小カップＣＳを保持するときには、図７（ｂ）に示す如く、調整用切込み１９により形成された側板角部１５の一部（折り込み部１７の一部）を、調整用突起１９ａとなるようにさらに保持空間ＳＬに向かって折り込む。これにより、折り込み部１７と、折り込み部１７以外の側板角部１５ｂとで囲われた空間にさらに調整用突起１９ａが形成されるので、小カップＣＳを保持する保持空間ＳＳを設けることができる。
【００４３】
〔第３実施形態〕
図８は、本考案の第３実施形態に係るカップ保持トレイ（カップを保持する状態）の模式的斜視図であり、（ａ）は、小サイズのカップを保持する状態を示したカップ保持トレイの斜視図、（ｂ）は、大サイズのカップを保持する状態を示したカップ保持トレイの斜視図である。
【００４４】
第３実施形態に係るトレイ１Ｃが、第１実施形態に係るトレイ１Ａと相違する点は、サイズが異なる２つのカップ（大カップＣＬ、小カップＣＳ）を保持するように、側板角部の構造を変更した点である。したがって、第１実施形態に係るトレイ１Ａと同じ機能を有する部位には、同じ符号を付してその詳細な説明を省略する。
【００４５】
図８に示すように、本実施形態のトレイ１Ｃの側板角部１５には、側板角部１５の一部を折り込むことにより、サイズの異なる２つカップに応じてサイズの異なる保持空間ＳＣを選択して形成することができるように、側板角部１５には、長さの異なる２つの切込みが形成されている。
【００４６】
２つの切込みのうち長さの短い第１の切込み１６Ａは、小カップＣＳの大きさに応じた保持空間ＳＳが形成されるような長さとなっている。一方、２つの切込みのうち長さの長い第２の切込み１６Ｂは、大カップＣＬの大きさに応じた保持空間ＳＬが形成されるような長さとなっている。
【００４７】
小カップＣＳを保持するときには、図８（ａ）に示す如く、第１の切込み１６Ａにより形成された側板角部１５の一部を収容空間Ｓ内に向かって折り込む。これにより、折り込み部１７と、折り込み部１７以外の側板角部１５ｂとで囲われた空間を、小カップＣＳを保持する保持空間ＳＳとすることができる。
【００４８】
大カップＣＬを保持するときには、図８（ｂ）に示す如く、第２の切込み１６Ｂにより形成された側板角部１５の一部を収容空間Ｓ内に向かって折り込む。これにより、折り込み部１７と、折り込み部１７以外の側板角部１５ｂとで囲われた空間を、大カップＣＬを保持する保持空間ＳＬとすることができる。
【００４９】
以上、本考案の実施形態について詳述したが、本考案は、前記の実施形態に限定されるものではなく、登録実用新案請求の範囲に記載された本考案の精神を逸脱しない範囲で、種々の設計変更を行うことができるものである。
【００５０】
第１実施形態に係るトレイでは、４つの側板角部に形成された切込みはすべて同じ長さであったが、異なるサイズのカップが収容できるように、切込みの長さを異なる長さとしてもよい。
【００５１】
また、第２実施形態では、２つのサイズのカップを保持するために、調整用切込みを側板角部に設けたが、それ以上の種類のカップを保持するために、さらに調整用切込みを設けてもよい。
【００５２】
さらに、第３実施形態では、２つのサイズのカップを保持するために、長さの異なる２つの切込みを側板角部に設けたが、それ以上の種類のカップを保持するために、その種類に応じた切込みをさらに設けてもよい。
【００５３】
さらに、第１〜第３実施形態に係るトレイでは、底板が矩形状であったが、上述した如く、側板角部にカップ保持用の切込みを形成することができるのであれば、これ以外の多角形状であってもよい。
【符号の説明】
【００５４】
１Ａ，１Ｂ，１Ｃ…トレイ（カップ保持トレイ）、１Ａ’，１Ｂ’…シート材、１ａ…開口縁、１１…底板、１２…周縁部、１３…側板、１３Ａ…第１の側板、１３Ｂ…第２の側板、１５…側板角部、１５ａ…稜線、１５ｂ…側板角部、１６…切込み、１６ａ…切込み部分、１６Ａ…第１の切込み、１６Ｂ…第２の切込み、１７…折り込み部、１８…重なり部分、１９…調整用切込み、１９ａ…調整用突起、１９ｂ…調整用切込み部分、Ｃ…カップ、ＣＬ…大カップ、ＣＳ…小カップ、Ｓ…収容空間、ＳＣ…保持空間、ＳＬ…保持空間（大カップ用）、ＳＳ…保持空間（小カップ用）。
【図１】
0003188921.tif 000003
【図２】
0003188921.tif 000004
【図３】
0003188921.tif 000005
【図４】
0003188921.tif 000006
【図５】
0003188921.tif 000007
【図６】
0003188921.tif 000008
【図７】
0003188921.tif 000009
【図８】
0003188921.tif 000010